【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
判別を実行する判別手段と、
その判別手段による判別結果を示すための複数の図柄列で構成された識別情報が表示される表示手段と、
その表示手段に前記識別情報を動的表示させた後、前記判別手段による前記判別結果を示すための停止表示態様で識別情報を停止表示させる表示制御手段と、
その表示制御手段により、前記判別結果が特定の判別結果であることを示すための停止表示態様で前記識別情報が停止表示された場合に、特典遊技が付与される遊技機において、
前記特定の判別結果であることを示すための停止表示態様は、前記複数の図柄列が特定の図柄の組み合わせで停止表示されるものであり、
前記表示制御手段は、前記複数の図柄列のうち、少なくとも２以上の図柄列を前記特定の判別結果を示すための組み合わせの一部となる図柄の組み合わせで停止または仮停止表示させるリーチ表示態様で表示させることが可能に構成されており、
前記遊技機は、
前記表示制御手段により前記識別情報が動的表示されてから前記リーチ表示態様で表示されるまでの間に、前記判別結果に関わる補助情報を前記識別情報とは別に前記表示手段に表示させる補助情報表示手段と、
その補助情報表示手段により表示された前記補助情報に前記判別手段による判別結果を示唆可能な示唆態様を付加するための複数の示唆情報を前記表示手段に表示させる示唆情報表示手段と、
その示唆情報表示手段により表示された前記複数の示唆情報のうち、１の示唆情報に対応する示唆態様を前記補助情報に付加して表示させる補助表示態様制御手段と、を有し、
示唆情報表示手段により表示される前記複数の示唆情報は、前記判別結果に基づいて表示される前記複数の示唆情報の組合せが異なる複数の示唆情報より決定されるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００１
【補正方法】変更
【補正の内容】
【０００１】
本発明は、パチンコ機等に代表される遊技機に関するものである。
【手続補正３】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や当たり演出を、液晶画面上に表示するパチンコ機等が知られている。かかる演出では、遊技者に期待感を持たせるための演出や、遊技者の遊技への参加意欲を高めるための演出など、様々なパターンの演出が実行され、遊技の興趣向上が図られている。
【手続補正４】
【補正対象書類名】明細書
【補正対象項目名】０００３
【補正方法】変更
【補正の内容】
【０００３】
このようなパチンコ機等において、遊技者に遊技に関わる予告演出が実行される遊技機が提案されている。
【手続補正５】
【補正対象書類名】明細書
【補正対象項目名】０００７
【補正方法】変更
【補正の内容】
【０００７】
この目的を達成するために請求項１記載の遊技機は、判別を実行する判別手段と、その判別手段による判別結果を示すための複数の図柄列で構成された識別情報が表示される表示手段と、その表示手段に前記識別情報を動的表示させた後、前記判別手段による前記判別結果を示すための停止表示態様で識別情報を停止表示させる表示制御手段と、その表示制御手段により、前記判別結果が特定の判別結果であることを示すための停止表示態様で前記識別情報が停止表示された場合に、特典遊技が付与されるものであり、前記特定の判別結果であることを示すための停止表示態様は、前記複数の図柄列が特定の図柄の組み合わせで停止表示されるものであり、前記表示制御手段は、前記複数の図柄列のうち、少なくとも２以上の図柄列を前記特定の判別結果を示すための組み合わせの一部となる図柄の組み合わせで停止または仮停止表示させるリーチ表示態様で表示させることが可能に構成されており、前記遊技機は、前記表示制御手段により前記識別情報が動的表示されてから前記リーチ表示態様で表示されるまでの間に、前記判別結果に関わる補助情報を前記識別情報とは別に前記表示手段に表示させる補助情報表示手段と、その補助情報表示手段により表示された前記補助情報に前記判別手段による判別結果を示唆可能な示唆態様を付加するための複数の示唆情報を前記表示手段に表示させる示唆情報表示手段と、その示唆情報表示手段により表示された前記複数の示唆情報のうち、１の示唆情報に対応する示唆態様を前記補助情報に付加して表示させる補助表示態様制御手段と、を有し、示唆情報表示手段により表示される前記複数の示唆情報は、前記判別結果に基づいて表示される前記複数の示唆情報の組合せが異なる複数の示唆情報より決定されるものである。
【手続補正６】
【補正対象書類名】明細書
【補正対象項目名】０００８
【補正方法】変更
【補正の内容】
【０００８】
請求項２記載の遊技機は、請求項１記載の遊技機において、前記表示手段は、液晶ディスプレイで構成されているものである。
【手続補正７】
【補正対象書類名】明細書
【補正対象項目名】０００９
【補正方法】変更
【補正の内容】
【０００９】
請求項１記載の遊技機によれば、判別を実行する判別手段と、その判別手段による判別結果を示すための複数の図柄列で構成された識別情報が表示される表示手段と、その表示手段に前記識別情報を動的表示させた後、前記判別手段による前記判別結果を示すための停止表示態様で識別情報を停止表示させる表示制御手段と、その表示制御手段により、前記判別結果が特定の判別結果であることを示すための停止表示態様で前記識別情報が停止表示された場合に、特典遊技が付与されるものであり、前記特定の判別結果であることを示すための停止表示態様は、前記複数の図柄列が特定の図柄の組み合わせで停止表示されるものであり、前記表示制御手段は、前記複数の図柄列のうち、少なくとも２以上の図柄列を前記特定の判別結果を示すための組み合わせの一部となる図柄の組み合わせで停止または仮停止表示させるリーチ表示態様で表示させることが可能に構成されており、前記遊技機は、前記表示制御手段により前記識別情報が動的表示されてから前記リーチ表示態様で表示されるまでの間に、前記判別結果に関わる補助情報を前記識別情報とは別に前記表示手段に表示させる補助情報表示手段と、その補助情報表示手段により表示された前記補助情報に前記判別手段による判別結果を示唆可能な示唆態様を付加するための複数の示唆情報を前記表示手段に表示させる示唆情報表示手段と、その示唆情報表示手段により表示された前記複数の示唆情報のうち、１の示唆情報に対応する示唆態様を前記補助情報に付加して表示させる補助表示態様制御手段と、を有し、示唆情報表示手段により表示される前記複数の示唆情報は、前記判別結果に基づいて表示される前記複数の示唆情報の組合せが異なる複数の示唆情報より決定されるものである。よって、遊技に対する興趣を向上させることができるという効果がある。
【手続補正８】
【補正対象書類名】明細書
【補正対象項目名】００１０
【補正方法】変更
【補正の内容】
【００１０】
請求項２記載の遊技機によれば、請求項１記載の遊技機の奏する効果に加え、前記表示手段は、液晶ディスプレイで構成されているものであるので、多様な表示態様を表示できるという効果がある。
【手続補正９】
【補正対象書類名】明細書
【補正対象項目名】０９０４
【補正方法】変更
【補正の内容】
【０９０４】
１０                  パチンコ機（遊技機）
８１                  第３図柄表示装置（表示手段、補助情報表示手段）
１１４                表示制御装置（表示制御手段の一部）
Ｓ３０６              判別手段
Ｓ２１０３            補助表示態様制御手段
Ｓ２２５０            示唆情報表示手段